(57)【要約】【課題】電気機器が発生させた熱を、容易に、かつ、有効に利用可能な車両用熱管理システムを提供する。【解決手段】バッテリ６０および複数の電気機器が搭載された車両に適用される車両用熱管理システム１であって、複数の電気機器として、車両走行用の駆動力を発生させるために用いられるモータジェネレータ７０およびインバータ７１といった走行系電気機器、および統合変電ユニット７２のように走行系電気機器に含まれない非走行系電気機器を有している。そして、非走行系電気機器が発生させた熱を空調対象空間へ送風される送風空気Ｗの加熱源として用いる。【選択図】図６
2020199871.tif 000002
【特許請求の範囲】
【請求項１】
電力を蓄えるバッテリ（６０）、および前記バッテリに接続された複数の電気機器（１１、７０、７１、７２、７３）が搭載された車両に適用される車両用熱管理システムであって、
前記複数の電気機器として、車両走行用の駆動力を発生させるために用いられる走行系電気機器（７０、７１）、および前記走行系電気機器に含まれない非走行系電気機器（１１、７２）を有し、
前記バッテリから前記走行系電気機器へ電力を供給する電気経路を走行系電気経路（６１）と定義し、前記バッテリから前記非走行系電気機器へ電力を供給する電気経路を非走行系電気経路（６２）と定義したときに、
前記走行系電気経路および前記非走行系電気経路は、前記バッテリに対して並列に接続されており、
前記非走行系電気機器が発生させた熱を加熱対象物の加熱源として用いる車両用熱管理システム。
【請求項２】
電力を蓄えるバッテリ（６０）、および前記バッテリに接続された複数の電気機器（１１、７０、７１、７２、７３）が搭載された車両に適用される車両用熱管理システムであって、
前記複数の電気機器として、車両走行用の駆動力を出力する走行用電動モータ（７０）、および前記バッテリから前記走行用電動モータへ至る電気経路外に接続された非走行系電気機器（１１、７２、７３）を有し、
前記非走行系電気機器が発生させた熱を加熱対象物の加熱源として用いる車両用熱管理システム。
【請求項３】
高温側熱媒体を循環させる高温側熱媒体回路（２０）を備え、
前記高温側熱媒体回路は、前記加熱対象物と前記高温側熱媒体とを熱交換させる加熱用熱交換部（２３）、および前記非走行系電気機器と前記高温側熱媒体とを熱交換させる高温側吸熱用熱交換部（７２ａ）を有し、
前記高温側吸熱用熱交換部を流通する前記高温側熱媒体の温度低下に伴って、前記非走行系電気機器の発熱量を増加させる請求項１または２に記載の車両用熱管理システム。
【請求項４】
冷媒を圧縮して吐出する圧縮機（１１）、および前記圧縮機（１１）から吐出された前記冷媒と前記高温側熱媒体とを熱交換させる高温側熱交換部（１２）を有する冷凍サイクル装置（１０）を備える請求項３に記載の車両用熱管理システム。
【請求項５】
冷媒を圧縮して吐出する圧縮機（１１）、前記圧縮機（１１）から吐出された前記冷媒を熱源として前記加熱対象物を加熱する加熱部（１２、２３）、前記加熱部の下流側の前記冷媒を減圧させる減圧部（１４ａ）、および前記減圧部にて減圧された前記冷媒と低温側熱媒体とを熱交換させる低温側熱交換部（１５）を有する冷凍サイクル装置（１０）と、
前記低温側熱媒体を循環させる低温側熱媒体回路（３０）と、を備え、
前記低温側熱媒体回路（３０）は、前記非走行系電気機器と前記低温側熱媒体とを熱交換させる低温側吸熱用熱交換部（７２ａ）を有し、
前記低温側吸熱用熱交換部を流通する前記低温側熱媒体の温度低下に伴って、前記非走行系電気機器の発熱量を増加させる請求項１または２に記載の車両用熱管理システム。
【請求項６】
前記低温側熱媒体回路（３０）は、前記低温側熱媒体と低温側温度調整対象物と熱交換させる温度調整用熱交換部（６０ａ）を有している請求項５に記載の車両用熱管理システム。
【請求項７】
前記非走行系電気機器は、前記バッテリを充電するために用いられる充電用電気機器（７２）を含んでいる請求項１ないし６のいずれか１つに記載の車両用熱管理システム。
【請求項８】
前記非走行系電気機器は、車室内の空調を行うために用いられる空調用電気機器（１１）を含んでいる請求項１ないし７のいずれか１つに記載の車両用熱管理システム。
【請求項９】
前記非走行系電気機器は、前記車両の走行のために取得した情報の処理を行うために用いられる情報処理用電気機器（７３）を含んでいる請求項２に記載の車両用熱管理システム。
【発明の詳細な説明】
【技術分野】
【０００１】
本発明は、車両用熱管理システムに関する。
【背景技術】
【０００２】
従来、特許文献１に、ハイブリッド車両に適用された車両用熱管理システムが開示されている。特許文献１の車両用熱管理システムでは、車両に搭載された電気機器が発生させた熱を車室内の空調等に利用している。さらに、特許文献１の車両用熱管理システムでは、電気機器が発生させた熱を車室内の空調等に利用する際に、通常作動時よりも発熱量を増加させる熱生成モードで電気機器を作動させている。
【先行技術文献】
【特許文献】
【０００３】
【特許文献１】特開２０１５−１３６３９号公報
【発明の概要】
【発明が解決しようとする課題】
【０００４】
ところで、特許文献１の電気機器には、例えば、モータジェネレータのように、走行用の駆動力を発生させるために用いられる走行系電気機器が含まれている。
【０００５】
しかし、走行系電気機器を熱生成モードで作動させようとすると、走行系電気機器の制御態様が複雑化してしまうことや、充分な発熱量を得られないことがある。その理由は、走行系電気機器を作動させる際には、発熱量を増加させることよりも、適切な駆動力を出力させることが優先されるからである。従って、特許文献１の車両用熱管理システムでは、電気機器が発生させた熱を、容易に、かつ、有効に利用できないことがある。
【０００６】
本発明は、上記点に鑑み、電気機器が発生させた熱を、容易に、かつ、有効に利用可能な車両用熱管理システムを提供することを目的とする。
【課題を解決するための手段】
【０００７】
上記目的を達成するため、請求項１に記載の車両用熱管理システムは、バッテリ（６０）および複数の電気機器（１１、７０、７１、７２、７３）が搭載された車両に適用される。バッテリは、電力を蓄える。複数の電気機器は、バッテリに接続されている。
【０００８】
複数の電気機器として、走行系電気機器（７０、７１）および非走行系電気機器（１１、７２）を有している。走行系電気機器は、車両走行用の駆動力を発生させるために用いられる電気機器である。非走行系電気機器は、走行系電気機器に含まれない電気機器である。
【０００９】
バッテリから走行系電気機器へ電力を供給する電気経路を走行系電気経路（６１）と定義する。また、バッテリから非走行系電気機器へ電力を供給する電気経路を非走行系電気経路（６２）と定義する。このとき、走行系電気経路と非走行系電気経路は、バッテリに対して並列に接続されている。
【００１０】
そして、非走行系電気機器が発生させた熱を加熱対象物の加熱源として用いる。
【００１１】
これによれば、走行系電気経路（６１）と非走行系電気経路（６２）が、バッテリ（６０）に対して並列に接続されている。このため、非走行系電気機器（１１、７２）の作動状態を変化させても、走行系電気機器（７０、７１）の作動に影響を与えにくい。つまり、非走行系電気機器（１１、７２）は、発熱量を増加させるように作動させても走行用の駆動力に影響を与えにくく、制御態様の複雑化を招きにくい。
【００１２】
従って、非走行系電気機器（１１、７２）が発生させた熱を加熱対象物の加熱源として用いることで、電気機器が発生させた熱を、容易に、かつ、有効に加熱対象物の加熱源として利用することができる。
【００１３】
また、請求項２に記載の車両用熱管理システムは、バッテリ（６０）および複数の電気機器（１１、７０、７１、７２、７３）が搭載された車両に適用される。バッテリは、電力を蓄える。複数の電気機器は、バッテリに接続されている。
【００１４】
複数の電気機器として、走行用電動モータ（７０）および非走行系電気機器（１１、７２、７３）を有している。走行用電動モータは、車両走行用の駆動力を出力する。非走行系電気機器は、バッテリから走行用電動モータへ至る電気経路外に接続されている。
【００１５】
そして、非走行系電気機器が発生させた熱を加熱対象物の加熱源として用いる。
【００１６】
これによれば、非走行系電気機器（１１、７２、７３）が、バッテリ（６０）から走行用電動モータ（７０）へ至る電気経路外に接続されている。このため、非走行系電気機器（１１、７２、７３）の作動状態を変化させても、走行用電動モータ（７０）の作動に影響を与えにくい。つまり、非走行系電気機器（１１、７２、７３）は、発熱量を増加させるように作動させても走行用の駆動力に影響を与えにくく、制御態様の複雑化を招きにくい。
【００１７】
従って、非走行系電気機器（１１、７２、７３）が発生させた熱を加熱対象物の加熱源として用いることで、電気機器が発生させた熱を、容易に、かつ、有効に加熱対象物の加熱源として利用することができる。
【００１８】
なお、この欄および特許請求の範囲で記載した各手段の括弧内の符号は、後述する実施形態に記載の具体的手段との対応関係を示すものである。
【図面の簡単な説明】
【００１９】
【図１】第１実施形態の車両用熱管理システムの模式的な全体構成図である。
【図２】第１実施形態の室内空調ユニットの模式的な断面図である。
【図３】第１実施形態の車両用熱管理システムの電気制御部を示すブロック図である。
【図４】第１実施形態の車両用熱管理システムの冷房冷却モードにおける冷媒流れおよび熱媒体流れを示す全体構成図である。
【図５】第１実施形態の高温側熱媒体温度と統合変電ユニットの発熱可能熱量との関係を示すグラフである。
【図６】第１実施形態の車両用熱管理システムの暖房モードにおける冷媒流れおよび熱媒体流れを示す全体構成図である。
【図７】第１実施形態の車両用熱管理システムの除湿暖房モードにおける冷媒流れおよび熱媒体流れを示す全体構成図である。
【図８】第２実施形態の車両用熱管理システムの冷房冷却モードにおける冷媒流れおよび熱媒体流れを示す全体構成図である。
【図９】第２実施形態の車両用熱管理システムの暖房モードにおける冷媒流れおよび熱媒体流れを示す全体構成図である。
【図１０】第２実施形態の車両用熱管理システムの除湿暖房モードにおける冷媒流れおよび熱媒体流れを示す全体構成図である。
【図１１】第２実施形態の車両用熱管理システムのバッテリ暖機モードにおける熱媒体流れを示す全体構成図である。
【図１２】車両用熱管理システムの電気制御部の変形例を示すブロック図である。
【図１３】車両用熱管理システムの電気制御部の別の変形例を示すブロック図である。
【発明を実施するための形態】
【００２０】
以下に、図面を参照しながら本発明を実施するための複数の実施形態を説明する。各実施形態において先行する実施形態で説明した事項に対応する部分には同一の参照符号を付して重複する説明を省略する場合がある。各実施形態において構成の一部のみを説明している場合は、構成の他の部分については先行して説明した他の実施形態を適用することができる。各実施形態で具体的に組合せが可能であることを明示している部分同士の組合せばかりではなく、特に組合せに支障が生じなければ、明示していなくとも実施形態同士を部分的に組み合せることも可能である。
【００２１】
（第１実施形態）
図１〜図７を用いて、本発明の第１実施形態を説明する。本実施形態では、本発明に係る車両用熱管理システム１を、電気自動車に適用している。電気自動車は、モータジェネレータ７０から走行用の駆動力を得る車両である。車両用熱管理システム１は、電気自動車において、空調対象空間である車室内の空調、並びに、バッテリ６０およびバッテリ６０に接続された電気機器の温度調整を行う。
【００２２】
車両用熱管理システム１は、図１の全体構成図に示すように、冷凍サイクル装置１０、高温側熱媒体回路２０、低温側熱媒体回路３０、室内空調ユニット４０等を備えている。
【００２３】
まず、冷凍サイクル装置１０について説明する。冷凍サイクル装置１０は、蒸気圧縮式の冷凍サイクルを構成する。冷凍サイクル装置１０は、圧縮機１１、水−冷媒熱交換器１２、第１膨張弁１４ａ、第２膨張弁１４ｂ、チラー１５、室内蒸発器１６、蒸発圧力調整弁１７等を有している。冷凍サイクル装置１０は、後述する各運転モードに応じて、冷媒回路の回路構成を切り替えることができる。
【００２４】
冷凍サイクル装置１０では、冷媒としてＨＦＯ系冷媒（具体的には、Ｒ１２３４ｙｆ）を採用している。冷凍サイクル装置１０は、高圧側の冷媒圧力が冷媒の臨界圧力を超えない亜臨界冷凍サイクルを構成する。冷媒には、冷凍サイクル装置１０の圧縮機１１を潤滑するための冷凍機油（具体的には、ＰＡＧオイル）が混入されている。冷凍機油の一部は、冷媒とともに冷凍サイクル装置１０を循環している。
【００２５】
圧縮機１１は、冷凍サイクル装置１０において、冷媒を吸入し、圧縮して吐出する。圧縮機１１は、車室の前方側の駆動装置室内に配置されている。駆動装置室は、車両走行用の駆動力の発生あるいは調整のために用いられる機器（例えば、モータジェネレータ７０）等の少なくとも一部が配置される空間を形成している。
【００２６】
圧縮機１１は、吐出容量が固定された固定容量型の圧縮機構を電動モータにて回転駆動する電動圧縮機である。圧縮機１１は、後述する制御装置５０から出力される制御信号によって、回転数（すなわち、冷媒吐出能力）が制御される。
【００２７】
圧縮機１１の吐出口には、水−冷媒熱交換器１２の冷媒通路１２１の入口側が接続されている。水−冷媒熱交換器１２は、圧縮機１１から吐出された高圧冷媒と高温側熱媒体回路２０を循環する高温側熱媒体とを熱交換させる高温側熱交換部である。
【００２８】
冷凍サイクル装置１０では、水−冷媒熱交換器１２として、いわゆるサブクール型の熱交換器を採用している。このため、水−冷媒熱交換器１２の冷媒通路１２１には、凝縮部１２ａ、レシーバ部１２ｂ、および過冷却部１２ｃが設けられている。
【００２９】
凝縮部１２ａは、圧縮機１１から吐出された高圧冷媒と高圧側熱媒体とを熱交換させて、高圧冷媒を凝縮させる凝縮用の熱交換部である。レシーバ部１２ｂは、凝縮部１２ａから流出した冷媒の気液を分離して分離された液相冷媒を蓄える受液部である。過冷却部１２ｃは、レシーバ部１２ｂから流出した液相冷媒と高圧側熱媒体とを熱交換させて、液相冷媒を過冷却する過冷却用の熱交換部である。
【００３０】
水−冷媒熱交換器１２の冷媒通路１２１の出口には、冷媒分岐部１３ａの流入口側が接続されている。冷媒分岐部１３ａは、水−冷媒熱交換器１２から流出した冷媒の流れを分岐する。冷媒分岐部１３ａは、互いに連通する３つの流入出口を有する三方継手である。冷媒分岐部１３ａでは、３つの流入出口の内の１つを流入口として用い、残りの２つを流出口として用いている。
【００３１】
冷媒分岐部１３ａの一方の流出口には、第１膨張弁１４ａを介して、チラー１５の冷媒通路１５１の入口側が接続されている。冷媒分岐部１３ａの他方の流出口には、第２膨張弁１４ｂを介して、室内蒸発器１６の冷媒入口側が接続されている。
【００３２】
第１膨張弁１４ａは、冷媒分岐部１３ａの一方の流出口から流出した冷媒を減圧させる減圧部である。第１膨張弁１４ａは、絞り開度を変化させる弁体、および弁体を変位させる電動アクチュエータ（具体的には、ステッピングモータ）を有する電気式の可変絞り機構である。第１膨張弁１４ａは、制御装置５０から出力される制御パルスによって、その作動が制御される。
【００３３】
第２膨張弁１４ｂは、冷媒分岐部１３ａの他方の流出口から流出した冷媒を減圧させる減圧部である。第２膨張弁１４ｂの基本的構成は、第１膨張弁１４ａと同様である。
【００３４】
第１膨張弁１４ａおよび第２膨張弁１４ｂは、弁開度を全開にすることで冷媒減圧作用および流量調整作用を殆ど発揮することなく単なる冷媒通路として機能する全開機能を有している。さらに、第１膨張弁１４ａおよび第２膨張弁１４ｂは、弁開度を全閉にすることで冷媒通路を閉塞する全閉機能を有している。
【００３５】
第１膨張弁１４ａおよび第２膨張弁１４ｂは、全開機能および全閉機能によって、各運転モードの冷媒回路を切り替えることができる。従って、第１膨張弁１４ａおよび第２膨張弁１４ｂは、冷凍サイクル装置１０の回路構成を切り替える冷媒回路切替部としての機能を兼ね備えている。
【００３６】
第１膨張弁１４ａの出口には、チラー１５の冷媒通路１５１の入口側が接続されている。チラー１５は、第１膨張弁１４ａにて減圧された低圧冷媒と低温側熱媒体回路３０を循環する低温側熱媒体とを熱交換させる低温側熱交換部である。チラー１５は、低圧冷媒を蒸発させて吸熱作用を発揮させることによって低温側熱媒体を冷却する。
【００３７】
チラー１５の冷媒通路１５１の出口には、冷媒合流部１３ｂの一方の流入口側が接続されている。
【００３８】
第２膨張弁１４ｂの出口には、室内蒸発器１６の冷媒入口側が接続されている。室内蒸発器１６は、第２膨張弁１４ｂにて減圧された低圧冷媒と送風空気Ｗとを熱交換させる空気冷却用熱交換器である。室内蒸発器１６は、低圧冷媒を蒸発させて吸熱作用を発揮させることによって送風空気Ｗを冷却する。室内蒸発器１６は、後述する室内空調ユニット４０のケーシング４１内に配置されている。
【００３９】
室内蒸発器１６の冷媒出口には、蒸発圧力調整弁１７の入口側が接続されている。蒸発圧力調整弁１７は、室内蒸発器１６における冷媒蒸発圧力を予め定めた基準圧力以上に維持する蒸発圧力調整部である。
【００４０】
蒸発圧力調整弁１７は、室内蒸発器１６の冷媒出口側の冷媒圧力の上昇に伴って、弁開度を増加させる機械式の可変絞り機構である。これにより、本実施形態の蒸発圧力調整弁１７では、室内蒸発器１６における冷媒蒸発温度を、室内蒸発器１６の着霜を抑制可能な着霜抑制温度（本実施形態では、１℃）以上に維持している。蒸発圧力調整弁１７の出口には、冷媒合流部１３ｂの他方の流入口側が接続されている。
【００４１】
冷媒合流部１３ｂは、チラー１５の冷媒通路１５１から流出した冷媒の流れと蒸発圧力調整弁１７から流出した冷媒の流れとを合流させる。冷媒合流部１３ｂは、冷媒分岐部１３ａと同様の三方継手である。冷媒合流部１３ｂでは、３つの流入出口のうち２つを流入口とし、残りの１つを流出口としている。冷媒合流部１３ｂの流出口には、圧縮機１１の吸入口側が接続されている。
【００４２】
次に、高温側熱媒体回路２０について説明する。高温側熱媒体回路２０は、高温側熱媒体を循環させる熱媒体回路である。高温側熱媒体回路２０では、高温側熱媒体として、エチレングリコール水溶液を採用している。
【００４３】
高温側熱媒体回路２０には、高温側ポンプ２１、水−冷媒熱交換器１２の熱媒体通路１２２、高温側ラジエータ２２、ヒータコア２３、第１高温側流量調整弁２４ａ、第２高温側流量調整弁２４ｂ、統合変電ユニット７２の冷却水通路７２ａ等が配置されている。
【００４４】
高温側ポンプ２１の吐出口には、水−冷媒熱交換器１２の熱媒体通路１２２の入口側が接続されている。高温側ポンプ２１は、高温側熱媒体を水−冷媒熱交換器１２の熱媒体通路１２２へ圧送する。水−冷媒熱交換器１２では、冷媒通路１２１を流通する高圧冷媒の流れと熱媒体通路１２２を流通する高温側熱媒体の流れが対向流となっている。高温側ポンプ２１は、制御装置５０から出力される制御電圧によって、回転数（すなわち、圧送能力）が制御される電動ポンプである。
【００４５】
水−冷媒熱交換器１２の熱媒体通路１２２の出口側には、電気ヒータ２５が配置されている。電気ヒータ２５は、水−冷媒熱交換器１２の熱媒体通路１２２から流出した高温側熱媒体を加熱する補助加熱装置である。高温側熱媒体回路２０では、電気ヒータ２５として、ＰＴＣ素子（すなわち、正特性サーミスタ）を有するＰＴＣヒータを採用している。電気ヒータ２５の発熱量は、制御装置５０から出力される制御電圧によって制御される。
【００４６】
電気ヒータ２５の下流側には、高温側分岐部２６ａの流入口側が接続されている。高温側分岐部２６ａは、電気ヒータ２５の下流側の高温側熱媒体の流れを分岐する。高温側分岐部２６ａは、冷媒分岐部１３ａ等と同様の三方継手である。
【００４７】
高温側分岐部２６ａの一方の流出口には、第１高温側流量調整弁２４ａを介して、高温側ラジエータ２２の熱媒体入口側が接続されている。高温側分岐部２６ａの他方の流出口には、第２高温側流量調整弁２４ｂを介して、ヒータコア２３の熱媒体入口側が接続されている。
【００４８】
第１高温側流量調整弁２４ａは、高温側ラジエータ２２へ流入する熱媒体流量を調整する流量調整部である。第１高温側流量調整弁２４ａは、熱媒体通路の通路断面積を変化させる弁体、および弁体を変位させる電動アクチュエータ（具体的には、ステッピングモータ）を有する電気式の流量調整弁である。第１高温側流量調整弁２４ａは、制御装置５０から出力される制御パルスによって、その作動が制御される。
【００４９】
第２高温側流量調整弁２４ｂは、ヒータコア２３へ流入する熱媒体流量を調整する流量調整部である。第２高温側流量調整弁２４ｂの基本的構成は、第１高温側流量調整弁２４ａと同様である。第１高温側流量調整弁２４ａおよび第２高温側流量調整弁２４ｂは、高温側ラジエータ２２へ流入する熱媒体流量に対するヒータコア２３へ流入する熱媒体流量の高温側流量比を調整する高温側流量比調整部である。
【００５０】
さらに、第１高温側流量調整弁２４ａおよび第２高温側流量調整弁２４ｂは、第１膨張弁１４ａおよび第２膨張弁１４ｂと同様の全開機構および全閉機能を有している。従って、第１高温側流量調整弁２４ａおよび第２高温側流量調整弁２４ｂは、高温側熱媒体回路２０の回路構成を切り替える高温側熱媒体回路切替部としての機能を兼ね備えている。
【００５１】
高温側ラジエータ２２は、水−冷媒熱交換器１２等で加熱された高温側熱媒体と図示しない外気ファンから送風された外気ＯＡとを熱交換させる高温側外気熱交換部である。高温側ラジエータ２２は、駆動装置室内の前方側に配置されている。高温側ラジエータ２２の熱媒体出口には、高温側合流部２６ｂの一方の流入口側が接続されている。
【００５２】
さらに、駆動装置室内の高温側ラジエータ２２の空気流れ上流側には、シャッター装置２２ａが配置されている。シャッター装置２２ａは、高温側ラジエータ２２へ流入する外気ＯＡの流量を調整する。これにより、シャッター装置２２ａは、高温側ラジエータ２２における高温側熱媒体と外気ＯＡとの熱交換量を調整することができる。シャッター装置２２ａは、制御装置５０から出力される制御信号によって、その作動が制御される。
【００５３】
ヒータコア２３は、水−冷媒熱交換器１２等で加熱された高温側熱媒体と送風空気Ｗとを熱交換させて、送風空気Ｗを加熱する加熱用熱交換部である。このため、本実施形態では、水−冷媒熱交換器１２およびヒータコア２３によって、圧縮機１１から吐出された高圧冷媒を熱源として送風空気Ｗを加熱する加熱部が構成されている。ヒータコア２３は、室内空調ユニット４０のケーシング４１内に配置されている。
【００５４】
ヒータコア２３の熱媒体出口には、統合変電ユニット７２の冷却水通路７２ａの入口側が接続されている。
【００５５】
統合変電ユニット７２は、バッテリ６０に接続された複数の電気機器の１つである。統合変電ユニット７２は、充電器、ＤＣＤＣコンバータ等を一体化させたユニットである。統合変電ユニット７２は、外部電源（具体的には、商用電源）からバッテリ６０へ充電するために用いられる充電用電気機器である。統合変電ユニット７２は、制御装置５０から出力される制御信号によって、その作動が制御される。
【００５６】
統合変電ユニット７２は、作動時に発熱する。統合変電ユニット７２は、高温になると電気回路の破損や劣化が進行しやすい。このため、統合変電ユニット７２の温度は、電気回路の保護が可能な基準耐熱温度より低い温度に維持されている必要がある。
【００５７】
そこで、本実施形態では、統合変電ユニット７２の外殻を形成するハウジング部に高温側熱媒体を流通させる冷却水通路７２ａを形成している。統合変電ユニット７２の冷却水通路７２ａは、高温側熱媒体と統合変電ユニット７２とを熱交換させる高温側吸熱用熱交換部である。
【００５８】
統合変電ユニット７２の冷却水通路７２ａの出口には、高温側合流部２６ｂの他方の流入口側が接続されている。高温側合流部２６ｂは、高温側ラジエータ２２から流出した冷媒の流れとヒータコア２３から流出した冷媒の流れとを合流させる。高温側合流部２６ｂは、冷媒合流部１３ｂ等と同様の三方継手である。
【００５９】
高温側合流部２６ｂの流出口には、高温側リザーブタンク２７の入口側が接続されている。さらに、高温側リザーブタンク２７の出口には、高温側ポンプ２１の吸入口側が接続されている。
【００６０】
高温側リザーブタンク２７は、高温側熱媒体回路２０で余剰となっている高温側熱媒体を貯留する高温側熱媒体用の貯留部である。高温側熱媒体回路２０では、高温側リザーブタンク２７を配置することで、高温側熱媒体回路２０を循環する高温側熱媒体の液量低下を抑制している。高温側リザーブタンク２７は、高温側熱媒体回路２０内の高温側熱媒体量が不足した際に高温側熱媒体を補給するための熱媒体供給口を有している。
【００６１】
次に、低温側熱媒体回路３０について説明する。低温側熱媒体回路３０は、低温側熱媒体を循環させる熱媒体回路である。低温側熱媒体回路３０では、低温側熱媒体として、高温側熱媒体と同種の熱媒体を採用している。
【００６２】
低温側熱媒体回路３０には、低温側ポンプ３１、チラー１５の熱媒体通路１５２、低温側ラジエータ３２、バッテリ６０の冷却水通路６０ａ、モータジェネレータ７０の冷却水通路７０ａ、インバータ７１の冷却水通路７１ａ等が配置されている。
【００６３】
低温側ポンプ３１の吐出口には、チラー１５の熱媒体通路１５２の入口側が接続されている。低温側ポンプ３１は、低温側熱媒体をチラー１５の熱媒体通路１５２へ圧送する。チラー１５では、冷媒通路１５１を流通する低圧冷媒の流れと熱媒体通路１５２を流通する低温側熱媒体の流れが対向流となっている。低温側ポンプ３１の基本的構成は、高温側ポンプ２１と同様である。
【００６４】
チラー１５の熱媒体通路１５２の出口には、電池側三方弁３３ａの流入口側が接続されている。電池側三方弁３３ａは、チラー１５の熱媒体通路１５２から流出した低温側熱媒体のうち、低温側ラジエータ３２側へ流出させる熱媒体流量とバッテリ６０の冷却水通路６０ａ側へ流出させる熱媒体流量との流量比を連続的に調整可能な三方式の流量調整弁である。
【００６５】
電池側三方弁３３ａは、内部へ流入した流出した低温側熱媒体を、低温側ラジエータ３２側およびバッテリ６０の冷却水通路６０ａ側のいずれか一方のみに流出させることもできる。電池側三方弁３３ａは、制御装置５０から出力される制御信号によって、その作動が制御される。
【００６６】
低温側ラジエータ３２は、電池側三方弁３３ａから流出した低温側熱媒体と外気ファンから送風された外気ＯＡとを熱交換させる低温側外気熱交換部である。低温側ラジエータ３２は、駆動装置室内の前方側であって、高温側ラジエータ２２の外気流れ下流側に配置されている。
【００６７】
従って、低温側ラジエータ３２は、高温側ラジエータ２２通過後の外気ＯＡと低温側熱媒体とを熱交換させる。低温側ラジエータ３２は、高温側ラジエータ２２と一体的に形成されていてもよい。低温側ラジエータ３２の熱媒体出口には、低温側リザーブタンク３７を介して、低温側合流部３６ｂの一方の流入口側が接続されている。
【００６８】
低温側リザーブタンク３７は、低温側熱媒体回路３０で余剰となっている低温側熱媒体を貯留する低温側熱媒体用の貯留部である。低温側リザーブタンク３７の基本的構成は、高温側リザーブタンク２７と同様である。
【００６９】
バッテリ６０は、複数の電気機器に供給される電力を蓄える。バッテリ６０は、複数の電池セルを電気的に直列的あるいは並列的に接続することによって形成された組電池である。電池セルは、充放電可能な二次電池（本実施形態では、リチウムイオン電池）である。バッテリ６０は、複数の電池セルを略直方体形状となるように積層配置して専用ケースに収容したものである。
【００７０】
この種の二次電池は、作動時（すなわち、充放電時）に発熱する。二次電池は、高温になると劣化が進行しやすい。さらに、二次電池は、低温になると化学反応が進行しにくく出力が低下しやすい。このため、二次電池の温度は、二次電池の充放電容量を充分に活用することのできる適切な温度範囲内（本実施形態では、１５℃以上、かつ、５５℃以下）に維持されていることが望ましい。
【００７１】
そこで、本実施形態では、バッテリ６０の専用ケースの内部に低温側熱媒体を流通させる冷却水通路６０ａを形成している。冷却水通路６０ａの通路構成は、専用ケースの内部で複数の通路を並列的に接続した通路構成となっている。これにより、冷却水通路６０ａは、全ての電池セルを均等に温度調整できるように形成されている。
【００７２】
従って、本実施形態のバッテリ６０は、低温側温度調整対象物である。また、本実施形態の冷却水通路６０ａは、低温側熱媒体と低温側温度調整対象物とを熱交換させる温度調整用熱交換部である。
【００７３】
バッテリ６０の冷却水通路６０ａの出口には、低温側合流部３６ｂの他方の流入口側が接続されている。低温側合流部３６ｂは、高温側合流部２６ｂ等と同様の三方継手である。低温側合流部３６ｂの流出口には、低温側ポンプ３１の吸入口側が接続されている。
【００７４】
さらに、本実施形態の低温側熱媒体回路３０には、電気機器用通路３８が接続されている。電気機器用通路３８は、低温側リザーブタンク３７の下流側であって、かつ、低温側合流部３６ｂの上流側の低温側熱媒体を、再び低温側ラジエータ３２の入口側へ戻す熱媒体通路である。
【００７５】
電気機器用通路３８には、機器用ポンプ３８ａ、インバータ７１の冷却水通路７１ａ、モータジェネレータ７０の冷却水通路７０ａ等が配置されている。機器用ポンプ３８ａは、低温側リザーブタンク３７から流出した低温側熱媒体の少なくとも一部を、インバータ７１の冷却水通路７１ａへ圧送する。機器用ポンプ３８ａの基本的構成は、低温側ポンプ３１と同様である。
【００７６】
インバータ７１は、バッテリ６０に接続された複数の電気機器の１つである。インバータ７１は、バッテリ６０から出力された直流電力を交流電力に変換してモータジェネレータ７０へ供給する電力変換装置である。さらに、インバータ７１は、モータジェネレータ７０が発生させた交流電力を直流電力に変換してバッテリ６０側へ出力することもできる。インバータ７１は、制御装置５０から出力される制御信号によって、その作動が制御される。
【００７７】
インバータ７１は、作動時に発熱する。インバータ７１は、高温になると電気回路の劣化が進行しやすい。このため、インバータ７１の温度は、統合変電ユニット７２と同様に、電気回路の保護が可能な基準耐熱温度（本実施形態では、１３０℃以下）より低い温度に維持されている必要がある。
【００７８】
そこで、本実施形態では、インバータ７１の外殻を形成するハウジング部に低温側熱媒体を流通させる冷却水通路７１ａを形成している。インバータ７１の冷却水通路７１ａは、低温側熱媒体とインバータ７１とを熱交換させる熱交換部である。
【００７９】
インバータ７１の冷却水通路７１ａの出口には、モータジェネレータ７０の冷却水通路７０ａの入口側が接続されている。
【００８０】
モータジェネレータ７０は、バッテリ６０に間接的に接続された複数の電気機器の１つである。モータジェネレータ７０は、インバータ７１から供給された電力によって走行用の駆動力を出力する走行用電動モータである。さらに、モータジェネレータ７０は、車両の減速中や降坂走行時に回生電力を発生させる発電装置である。
【００８１】
モータジェネレータ７０は、作動時に発熱する。モータジェネレータ７０は、高温になると電気回路の劣化が進行しやすい。さらに、モータジェネレータ７０は、低温になると摺動抵抗が増して円滑な回転駆動力を出力しにくくなる。このため、モータジェネレータ７０の温度は、電気回路の保護と円滑な回転駆動力の出力を行うことのできる適切な温度範囲内（本実施形態では、８０℃以上、かつ、１３０℃以下）に維持されている必要がある。
【００８２】
そこで、本実施形態では、モータジェネレータ７０の外殻を形成するハウジング部に低温側熱媒体を流通させる冷却水通路７０ａを形成している。モータジェネレータ７０の冷却水通路７０ａは、低温側熱媒体とモータジェネレータ７０とを熱交換させる熱交換部である。
【００８３】
モータジェネレータ７０の冷却水通路７０ａの出口には、機器側三方弁３３ｂの流入口側が接続されている。機器側三方弁３３ｂは、モータジェネレータ７０の冷却水通路７０ａから流出した低温側熱媒体のうち、低温側ラジエータ３２側へ流出させる熱媒体流量とバイパス通路３８ｂ側へ流出させる熱媒体流量との流量比を連続的に調整可能な三方式の流量調整弁である。
【００８４】
機器側三方弁３３ｂの基本的構成は、電池側三方弁３３ａと同様である。従って、電池側三方弁３３ａおよび機器側三方弁３３ｂは、低温側熱媒体回路３０の回路構成を切り替える低温側熱媒体回路切替部としての機能を兼ね備えている。バイパス通路３８ｂは、モータジェネレータ７０の冷却水通路７０ａから流出した低温側熱媒体を、低温側ラジエータ３２を迂回させて、機器用ポンプ３８ａの吸入側へ戻す熱媒体通路である。
【００８５】
次に、図２を用いて、室内空調ユニット４０について説明する。室内空調ユニット４０は、車両用熱管理システム１において、適切に温度調整された送風空気Ｗを車室内の適切な箇所へ吹き出すためのユニットである。室内空調ユニット４０は、車室内最前部の計器盤（すなわち、インストルメントパネル）の内側に配置されている。
【００８６】
室内空調ユニット４０は、送風空気Ｗの空気通路を形成するケーシング４１を有している。ケーシング４１内に形成された空気通路には、室内送風機４２、室内蒸発器１６、ヒータコア２３等が配置されている。ケーシング４１は、ある程度の弾性を有し、強度的にも優れた樹脂（例えば、ポリプロピレン）にて形成されている。
【００８７】
ケーシング４１の送風空気流れ最上流側には、内外気切替装置４３が配置されている。内外気切替装置４３は、ケーシング４１内へ内気（車室内空気）と外気（車室外空気）とを切替導入するものである。内外気切替装置４３の駆動用の電動アクチュエータは、制御装置５０から出力される制御信号によって、その作動が制御される。
【００８８】
内外気切替装置４３の送風空気流れ下流側には、室内送風機４２が配置されている。室内送風機４２は、内外気切替装置４３を介して吸入した空気を車室内へ向けて送風する。室内送風機４２は、遠心多翼ファンを電動モータにて駆動する電動送風機である。室内送風機４２は、制御装置５０から出力される制御電圧によって、回転数（すなわち、送風能力）が制御される。
【００８９】
室内送風機４２の送風空気流れ下流側には、室内蒸発器１６とヒータコア２３が、送風空気流れに対して、この順に配置されている。つまり、室内蒸発器１６は、ヒータコア２３よりも、送風空気流れ上流側に配置されている。ケーシング４１内には、室内蒸発器１６を通過した送風空気Ｗを、ヒータコア２３を迂回させて下流側へ流す冷風バイパス通路４５が形成されている。
【００９０】
室内蒸発器１６の送風空気流れ下流側であって、かつ、ヒータコア２３の送風空気流れ上流側には、エアミックスドア４４が配置されている。エアミックスドア４４は、室内蒸発器１６を通過後の送風空気Ｗのうち、ヒータコア２３を通過させる風量と冷風バイパス通路４５を通過させる風量との風量割合を調整する。エアミックスドア駆動用の電動アクチュエータは、制御装置５０から出力される制御信号によって、その作動が制御される。
【００９１】
ヒータコア２３の送風空気流れ下流側には、ヒータコア２３にて加熱された送風空気Ｗと冷風バイパス通路４５を通過してヒータコア２３にて加熱されていない送風空気Ｗとを混合させる混合空間４６が設けられている。さらに、ケーシング４１の送風空気流れ最下流部には、混合空間４６にて混合された空調風を、車室内へ吹き出す図示しない開口穴が配置されている。
【００９２】
従って、エアミックスドア４４がヒータコア２３を通過させる風量と冷風バイパス通路４５を通過させる風量との風量割合を調整することによって、混合空間４６にて混合される空調風の温度を調整することができる。そして、各開口穴から車室内へ吹き出される送風空気Ｗの温度を調整することができる。
【００９３】
開口穴としては、フェイス開口穴、フット開口穴、及びデフロスタ開口穴（いずれも図示せず）が設けられている。フェイス開口穴は、車室内の乗員の上半身に向けて空調風を吹き出すための開口穴である。フット開口穴は、乗員の足元に向けて空調風を吹き出すための開口穴である。デフロスタ開口穴は、車両前面窓ガラス内側面に向けて空調風を吹き出すための開口穴である。
【００９４】
これらの開口穴の上流側には、図示しない吹出モード切替ドアが配置されている。吹出モード切替ドアは、各開口穴を開閉することによって、空調風を吹き出す開口穴を切り替える。吹出モード切替ドア駆動用の電動アクチュエータは、制御装置５０から出力される制御信号によって、その作動が制御される。
【００９５】
次に、図３を用いて、車両用熱管理システム１の電気制御部の概要について説明する。なお、図３では、制御装置５０、バッテリ６０、および一部の電気機器の接続態様を模式的に示している。
【００９６】
制御装置５０は、ＣＰＵ、ＲＯＭおよびＲＡＭ等を含む周知のマイクロコンピュータとその周辺回路から構成されている。制御装置５０は、ＲＯＭ内に記憶された制御プログラムに基づいて各種演算、処理を行い、出力側に接続された各種制御対象機器の作動を制御する。
【００９７】
制御装置５０の入力側には、図３に示すように、制御用のセンサ群５１が接続されている。制御用のセンサ群５１には、車室内温度（内気温）Ｔｒを検出する内気温検出部、外気温Ｔａｍを検出する外気温検出部、バッテリ６０の温度Ｔｂを検出するバッテリ温度検出部等が含まれる。
【００９８】
また、制御装置５０の入力側には、操作パネル５２が接続されている。操作パネル５２には、例えば、車室内温度を設定する温度設定部等が設けられている。制御装置５０には、センサ群５１の検出信号および操作パネル５２の操作信号が入力される。
【００９９】
制御装置５０は、その出力側に接続された各種制御対象機器を制御する制御部が一体的に形成されたものである。つまり、それぞれの制御対象機器の作動を制御する構成（ハードウェアおよびソフトウェア）が、それぞれの制御対象機器の作動を制御する制御部となる。例えば、本実施形態では、制御装置５０のうち統合変電ユニット７２の作動を制御する構成が、統合変電ユニット用の制御部５０ａとなる。
【０１００】
制御装置５０には、バッテリ６０から図示しないＤＣＤＣコンバータ等を介して電力が供給される。
【０１０１】
バッテリ６０には、前述の如く、複数の電気機器が接続されている。複数の電気機器には、統合変電ユニット７２やインバータ７１のように、バッテリ６０に直接的に接続された電気機器が含まれる。さらに、複数の電気機器には、モータジェネレータ７０のように、インバータ７１を介して、バッテリ６０に間接的に接続された電気機器が含まれる。
【０１０２】
複数の電気機器は、走行系電気機器と非走行電気機器に大別される。走行系電気機器は、車両走行用の駆動力を発生させるために用いられる電気機器である。本実施形態では、具体的に、モータジェネレータ７０およびインバータ７１が走行系電気機器に該当する。
【０１０３】
図３に示すように、モータジェネレータ７０およびインバータ７１は、バッテリ６０に対して直列的に接続されている。つまり、バッテリ６０からインバータ７１を介してモータジェネレータ７０へ電力を供給する電気経路は、１つの電気経路として形成される。
【０１０４】
そこで、バッテリ６０から走行系電気機器へ電力を供給する電気経路を、走行系電気経路６１と定義する。さらに、走行系電気機器のうち、バッテリ６０からモータジェネレータ７０へ至る走行系電気経路６１内に接続された電気機器（本実施形態では、インバータ７１）を準走行系電気機器と定義する。
【０１０５】
非走行系電気機器は、バッテリ６０に接続された電気機器のうち、走行系電気機器に含まれない電気機器である。本実施形態では、具体的に、統合変電ユニット７２、先進運転支援システム（いわゆる、ＡＤＡＳ）用の制御装置７３、冷凍サイクル装置１０の圧縮機１１等が非走行系電気機器に該当する。
【０１０６】
先進運転支援システムは、車両の安全走行のための各種情報を取得し、取得した情報に基づいて、自動ヘッドライト制御、自動クルーズ制御、自動ブレーキ制御等を実現するシステムである。先進運転支援システム用の制御装置７３は、安全走行のために取得した情報の処理を行うために用いられる情報処理用電気機器である。冷凍サイクル装置１０の圧縮機１１は、車室内の空調を行うために用いられる空調用電気機器である。
【０１０７】
そして、バッテリ６０から非走行系電気機器へ電力を供給する電気経路を、非走行系電気経路６２と定義する。非走行系電気経路６２は、非走行系電気機器の数に応じて複数設けられる。走行系電気経路６１と非走行系電気経路６２は、バッテリ６０に対して並列に接続されている。従って、非走行系電気機器は、走行系電気経路６１外に接続された電気機器である。
【０１０８】
次に、上記構成における本実施形態の車両用熱管理システム１の作動を説明する。本実施形態の車両用熱管理システム１では、車室内の空調、およびバッテリ６０等の温度調整を行う。このために、車両用熱管理システム１は、各種運転モードを切り替えることができる。具体的には、車両用熱管理システム１は、冷房冷却モード、暖房モード、除湿暖房モードを切り替えることができる。以下に各運転モードについて説明する。
【０１０９】
（ａ）冷房冷却モード
冷房冷却モードは、車室内の冷房を行うとともに、バッテリ６０の冷却を行う運転モードである。冷房冷却モードでは、制御装置５０が、冷凍サイクル装置１０の圧縮機１１を作動させる。さらに、制御装置５０は、第１膨張弁１４ａおよび第２膨張弁１４ｂを、冷媒減圧作用を発揮する絞り状態とする。
【０１１０】
また、制御装置５０は、高温側熱媒体回路２０の高温側ポンプ２１を作動させる。さらに、制御装置５０は、第１高温側流量調整弁２４ａを全開状態とし、第２高温側流量調整弁２４ｂを全閉状態とする。
【０１１１】
また、制御装置５０は、低温側熱媒体回路３０の低温側ポンプ３１を作動させる。さらに、制御装置５０は、チラー１５の熱媒体通路１５２から流出した低温側熱媒体がバッテリ６０の冷却水通路６０ａへ流入するように、電池側三方弁３３ａの作動を制御する。
【０１１２】
また、制御装置５０は、室内空調ユニット４０の室内送風機４２を作動させる。さらに、制御装置５０は、室内蒸発器１６を通過した送風空気の全風量が冷風バイパス通路４５を通過するように、エアミックスドア駆動用の電動アクチュエータの作動を制御する。
【０１１３】
従って、冷房冷却モードの冷凍サイクル装置１０では、図４の太線で示すように、圧縮機１１から吐出された高圧冷媒が、水−冷媒熱交換器１２の冷媒通路１２１へ流入する。水−冷媒熱交換器１２の冷媒通路１２１へ流入した高圧冷媒は、熱媒体通路１２２を流通する高温側熱媒体へ放熱して過冷却液相冷媒となる。これにより、熱媒体通路１２２を流通する高温側熱媒体が加熱される。
【０１１４】
水−冷媒熱交換器１２の冷媒通路１２１から流出した過冷却液相冷媒の流れは、冷媒分岐部１３ａにて分岐される。
【０１１５】
冷媒分岐部１３ａにて分岐された一方の冷媒は、第１膨張弁１４ａにて減圧される。第１膨張弁１４ａにて減圧された低圧冷媒は、チラー１５の冷媒通路１５１へ流入する。チラー１５の冷媒通路１５１へ流入した低圧冷媒は、熱媒体通路１５２を流通する低温側熱媒体から吸熱して蒸発する。これにより、熱媒体通路１５２を流通する低温側熱媒体が冷却される。
【０１１６】
チラー１５の冷媒通路１５１から流出した冷媒は、冷媒合流部１３ｂの一方の流入口へ流入する。
【０１１７】
冷媒分岐部１３ａにて分岐された他方の冷媒は、第２膨張弁１４ｂにて減圧される。第２膨張弁１４ｂにて減圧された低圧冷媒は、室内蒸発器１６へ流入する。室内蒸発器１６へ流入した低圧冷媒は、室内送風機４２から送風された送風空気Ｗから吸熱して蒸発する。これにより、送風空気Ｗが冷却される。
【０１１８】
室内蒸発器１６から流出した冷媒は、蒸発圧力調整弁１７を介して、冷媒合流部１３ｂの他方の流入口へ流入する。冷媒合流部１３ｂから流出した冷媒は、圧縮機１１に吸入されて再び圧縮される。
【０１１９】
また、冷房冷却モードの高温側熱媒体回路２０では、高温側ポンプ２１から圧送された高温側熱媒体が、水−冷媒熱交換器１２の熱媒体通路１２２へ流入して加熱される。水−冷媒熱交換器１２の熱媒体通路１２２から流出した高温側熱媒体は、電気ヒータ２５、高温側分岐部２６ａおよび第１高温側流量調整弁２４ａを介して、高温側ラジエータ２２へ流入する。
【０１２０】
高温側ラジエータ２２へ流入した高温側熱媒体は、シャッター装置２２ａを介して高温側ラジエータ２２へ流入した外気ＯＡに放熱する。これにより、高温側熱媒体が冷却される。高温側ラジエータ２２から流出した高温側熱媒体は、高温側合流部２６ｂおよび高温側リザーブタンク２７を介して、高温側ポンプ２１へ吸入されて再び圧送される。
【０１２１】
また、冷房冷却モードの低温側熱媒体回路３０では、低温側ポンプ３１から圧送された低温側熱媒体が、チラー１５の熱媒体通路１５２へ流入して冷却される。チラー１５の熱媒体通路１５２から流出した低温側熱媒体は、電池側三方弁３３ａを介して、バッテリ６０の冷却水通路６０ａへ流入する。
【０１２２】
バッテリ６０の冷却水通路６０ａへ流入した低温側熱媒体は、バッテリ６０の電池セルから吸熱して温度上昇する。これにより、バッテリ６０が冷却される。バッテリ６０の冷却水通路６０ａから流出した低温側熱媒体は、低温側合流部３６ｂを介して、低温側ポンプ３１へ吸入されて再び圧送される。
【０１２３】
また、冷房冷却モードの室内空調ユニット４０では、室内蒸発器１６を通過して冷却された送風空気Ｗが車室内へ送風される。これにより、車室内の冷房が実現される。
【０１２４】
冷房冷却モードでは、上記の如く、車室内の冷房およびバッテリ６０の冷却が実現される。さらに、冷房冷却モードに対して、バッテリ６０の冷却が不要となる運転条件では、制御装置５０が第１膨張弁１４ａを全閉状態として単独冷房モードを実行してもよい。また、冷房冷却モードに対して、車室内の冷房が不要となる運転条件では、制御装置５０が第２膨張弁１４ｂを全閉状態として単独冷却モードを実行してもよい。
【０１２５】
（ｂ）暖房モード
暖房モードは、車室内の暖房を行う運転モードである。暖房モードでは、制御装置５０が、冷凍サイクル装置１０の圧縮機１１を作動させる。さらに、制御装置５０は、第１膨張弁１４ａを絞り状態とし、第２膨張弁１４ｂを全閉状態とする。
【０１２６】
また、制御装置５０は、高温側熱媒体回路２０の高温側ポンプ２１を作動させる。さらに、制御装置５０は、第１高温側流量調整弁２４ａを全閉状態とし、第２高温側流量調整弁２４ｂを全開状態とする。
【０１２７】
さらに、制御装置５０は、ヒータコア２３から流出した高温側熱媒体の温度が、予め定めた基準ヒータコア出口側温度以上となるように、電気ヒータ２５の加熱能力を調整する。基準ヒータコア出口側温度は、送風空気Ｗの温度が車室内の充分な暖房を実現できる温度となるように決定されている。このため、ヒータコア２３から流出した高温側熱媒体の温度が、基準ヒータコア出口側温度を超えている場合は、制御装置５０は、電気ヒータ２５に電力を供給しない。
【０１２８】
また、制御装置５０は、低温側熱媒体回路３０の低温側ポンプ３１を作動させる。さらに、制御装置５０は、チラー１５の熱媒体通路１５２から流出した低温側熱媒体が低温側ラジエータ３２へ流入するように、電池側三方弁３３ａの作動を制御する。
【０１２９】
また、制御装置５０は、室内空調ユニット４０の室内送風機４２を作動させる。さらに、制御装置５０は、室内蒸発器１６を通過した送風空気の全風量がヒータコア２３を通過するように、エアミックスドア駆動用の電動アクチュエータの作動を制御する。
【０１３０】
また、制御装置５０は、統合変電ユニット７２を熱生成モードで作動させる。熱生成モードとは、制御装置５０が、通常作動時よりも制御対象機器（本実施形態では、統合変電ユニット７２）に供給される電力を増加させて、制御対象機器の発熱量を増加させる制御モードである。
【０１３１】
例えば、統合変電ユニット７２は、充電用電気機器であるから、外部電源からバッテリ６０への充電を行っていないときには作動させる必要がない。換言すると、バッテリ６０の充電を行っていないときには、制御装置５０は、統合変電ユニット７２への電力の供給を停止させて、統合変電ユニット７２の発熱量を０ｋｗとすることができる。
【０１３２】
これに対して、熱生成モードでは、バッテリ６０の充電を行っていないときであっても、制御装置５０が統合変電ユニット７２へ電力を供給して、統合変電ユニット７２に発熱させる。
【０１３３】
さらに、制御装置５０は、図５の制御特性図に示すように、統合変電ユニット７２の冷却水通路７２ａを流通する高温側熱媒体の温度の上昇に伴って、統合変電ユニット７２の発熱量を低下させる。これにより、制御装置５０は、統合変電ユニット７２の電気回路の温度が基準耐熱温度よりも低くなるように、統合変電ユニット７２の発熱量を調整している。
【０１３４】
また、熱生成モードにおける統合変電ユニット７２の高温側熱媒体の最大加熱能力は、冷凍サイクル装置１０の高温側熱媒体の最大加熱能力と比較して小さい。また、本実施形態の統合変電ユニット７２では、熱生成モードで作動させた際に、比較的少ない発熱量であれば、電気ヒータ２５よりも効率的に発熱できることが判っている。
【０１３５】
従って、暖房モードの冷凍サイクル装置１０では、図６の太線で示すように、圧縮機１１から吐出された高圧冷媒が、水−冷媒熱交換器１２の冷媒通路１２１へ流入する。水−冷媒熱交換器１２の冷媒通路１２１へ流入した高圧冷媒は、熱媒体通路１２２を流通する高温側熱媒体へ放熱して過冷却液相冷媒となる。これにより、冷房冷却モードと同様に、熱媒体通路１２２を流通する高温側熱媒体が加熱される。
【０１３６】
水−冷媒熱交換器１２の冷媒通路１２１から流出した過冷却液相冷媒は、冷媒分岐部１３ａを介して、第１膨張弁１４ａへ流入して減圧される。第１膨張弁１４ａにて減圧された低圧冷媒は、チラー１５の冷媒通路１５１へ流入する。チラー１５の冷媒通路１５１へ流入した低圧冷媒は、熱媒体通路１５２を流通する低温側熱媒体から吸熱して蒸発する。これにより、熱媒体通路１５２を流通する低温側熱媒体が冷却される。
【０１３７】
チラー１５の冷媒通路１５１から流出した冷媒は、冷媒合流部１３ｂを介して圧縮機１１に吸入されて再び圧縮される。
【０１３８】
また、暖房モードの高温側熱媒体回路２０では、高温側ポンプ２１から圧送された高温側熱媒体が、水−冷媒熱交換器１２の熱媒体通路１２２へ流入して加熱される。水−冷媒熱交換器１２の熱媒体通路１２２から流出した高温側熱媒体は、電気ヒータ２５、高温側分岐部２６ａおよび第２高温側流量調整弁２４ｂを介して、ヒータコア２３へ流入する。
【０１３９】
ヒータコア２３へ流入した高温側熱媒体は、室内送風機４２から送風された送風空気Ｗに放熱する。これにより、送風空気Ｗが加熱される。ヒータコア２３から流出した高温側熱媒体は、統合変電ユニット７２の冷却水通路７２ａへ流入する。
【０１４０】
統合変電ユニット７２の冷却水通路７２ａへ流入した高温側熱媒体は、熱生成モードで作動している統合変電ユニット７２が発生させた熱を吸熱する。これにより、高温側熱媒体が加熱される。統合変電ユニット７２の冷却水通路７２ａから流出した高温側熱媒体は、高温側合流部２６ｂおよび高温側リザーブタンク２７を介して、高温側ポンプ２１へ吸入されて再び圧送される。
【０１４１】
また、暖房モードの低温側熱媒体回路３０では、低温側ポンプ３１から圧送された低温側熱媒体が、チラー１５の熱媒体通路１５２へ流入して冷却される。チラー１５の熱媒体通路１５２から流出した低温側熱媒体は、電池側三方弁３３ａを介して、低温側ラジエータ３２へ流入する。
【０１４２】
低温側ラジエータ３２へ流入した低温側熱媒体は、高温側ラジエータ２２を通過した外気ＯＡから吸熱して温度上昇する。低温側ラジエータ３２から流出した低温側熱媒体は、低温側リザーブタンク３７および低温側合流部３６ｂを介して、低温側ポンプ３１へ吸入されて再び圧送される。
【０１４３】
また、暖房モードの室内空調ユニット４０では、ヒータコア２３を通過して加熱された送風空気Ｗが車室内へ送風される。これにより、車室内の暖房が実現される。
【０１４４】
つまり、暖房モードでは、冷凍サイクル装置１０が発生させた熱に加えて、統合変電ユニット７２の発生させた熱を、高温側熱媒体の加熱源として用いている。そして、ヒータコア２３にて、高温側熱媒体を熱源として、送風空気Ｗを加熱している。
【０１４５】
従って、暖房モードでは、統合変電ユニット７２の発生させた熱を間接的に加熱対象物である送風空気Ｗの加熱源として用いている。
【０１４６】
（ｃ）除湿暖房モード
除湿暖房モードは、車室内の除湿暖房を行う運転モードである。除湿暖房モードでは、制御装置５０が、冷凍サイクル装置１０の圧縮機１１を作動させる。さらに、制御装置５０は、第１膨張弁１４ａを全閉状態とし、第２膨張弁１４ｂを絞り状態とする。
【０１４７】
また、制御装置５０は、高温側熱媒体回路２０の高温側ポンプ２１を作動させる。さらに、制御装置５０は、第１高温側流量調整弁２４ａおよび第２高温側流量調整弁２４ｂの双方を流量調整状態とする。さらに、制御装置５０は、暖房モードと同様に電気ヒータ２５の加熱能力を調整する。
【０１４８】
また、制御装置５０は、低温側熱媒体回路３０の低温側ポンプ３１を停止させる。
【０１４９】
また、制御装置５０は、室内空調ユニット４０の室内送風機４２を作動させる。さらに、制御装置５０は、車室内へ送風される送風空気Ｗの温度が目標吹出温度ＴＡＯに近づくように、エアミックスドア駆動用の電動アクチュエータの作動を制御する。目標吹出温度ＴＡＯは、センサ群５１の検出信号および操作パネル５２の操作信号を用いて算定される。
【０１５０】
また、制御装置５０は、暖房モードと同様に、統合変電ユニット７２を熱生成モードで作動させる。
【０１５１】
従って、除湿暖房モードの冷凍サイクル装置１０では、図７の太線で示すように、圧縮機１１から吐出された高圧冷媒が、水−冷媒熱交換器１２の冷媒通路１２１へ流入する。水−冷媒熱交換器１２の冷媒通路１２１へ流入した高圧冷媒は、熱媒体通路１２２を流通する高温側熱媒体へ放熱して過冷却液相冷媒となる。これにより、冷房冷却モードと同様に、熱媒体通路１２２を流通する高温側熱媒体が加熱される。
【０１５２】
水−冷媒熱交換器１２の冷媒通路１２１から流出した過冷却液相冷媒は、冷媒分岐部１３ａを介して、第２膨張弁１４ｂへ流入して減圧される。第２膨張弁１４ｂにて減圧された低圧冷媒は、室内蒸発器１６へ流入する。室内蒸発器１６へ流入した低圧冷媒は、室内送風機４２から送風された送風空気Ｗから吸熱して蒸発する。これにより、室内蒸発器１６へ流入した送風空気Ｗが冷却されて除湿される。
【０１５３】
室内蒸発器１６から流出した冷媒は、蒸発圧力調整弁１７および冷媒合流部１３ｂを介して圧縮機１１に吸入されて再び圧縮される。
【０１５４】
また、除湿暖房モードの高温側熱媒体回路２０では、高温側ポンプ２１から圧送された高温側熱媒体が、水−冷媒熱交換器１２の熱媒体通路１２２へ流入して加熱される。水−冷媒熱交換器１２の熱媒体通路１２２から流出した高温側熱媒体の流れは、電気ヒータ２５を介して、高温側分岐部２６ａへ流入して分岐される。
【０１５５】
高温側分岐部２６ａにて分岐された一方の高温側熱媒体は、第１高温側流量調整弁２４ａを介して、高温側ラジエータ２２へ流入する。高温側ラジエータ２２へ流入した高温側熱媒体は、シャッター装置２２ａを介して高温側ラジエータ２２へ流入した外気ＯＡに放熱する。これにより、高温側熱媒体が冷却される。高温側ラジエータ２２から流出した高温側熱媒体は、高温側合流部２６ｂの一方の流入口へ流入する。
【０１５６】
高温側分岐部２６ａにて分岐された他方の高温側熱媒体は、第２高温側流量調整弁２４ｂを介して、ヒータコア２３へ流入する。ヒータコア２３へ流入した高温側熱媒体は、室内蒸発器１６にて冷却された送風空気Ｗの少なくとも一部に放熱する。これにより、送風空気Ｗの少なくとも一部が再加熱される。
【０１５７】
ヒータコア２３から流出した高温側熱媒体は、統合変電ユニット７２の冷却水通路７２ａへ流入する。統合変電ユニット７２の冷却水通路７２ａへ流入した高温側熱媒体は、暖房モードと同様に、熱生成モードで作動している統合変電ユニット７２が発生させた熱を吸熱する。これにより、高温側熱媒体が加熱される。
【０１５８】
統合変電ユニット７２の冷却水通路７２ａから流出した高温側熱媒体は、高温側合流部２６ｂの他方の流入口へ流入する。高温側分岐部２６ａから流出した高温側熱媒体は、高温側リザーブタンク２７を介して、高温側ポンプ２１へ吸入されて再び圧送される。
【０１５９】
また、除湿暖房モードの室内空調ユニット４０では、室内蒸発器１６にて冷却されて除湿された送風空気Ｗの少なくとも一部が、ヒータコア２３にて再加熱される。そして、エアミックスドア４４の開度調整によって、目標吹出温度ＴＡＯに近づくように温度調整された送風空気Ｗが車室内へ送風される。これにより、車室内の除湿暖房が実現される。
【０１６０】
つまり、除湿暖房モードでは、冷凍サイクル装置１０が発生させた熱に加えて、統合変電ユニット７２の発生させた熱を、高温側熱媒体の加熱源として用いている。そして、ヒータコア２３にて、高温側熱媒体を熱源として、送風空気Ｗを加熱している。従って、除湿暖房モードでは、統合変電ユニット７２の発生させた熱を間接的に加熱対象物である送風空気Ｗの加熱源として用いている。
【０１６１】
さらに、本実施形態の車両用熱管理システム１は、上述した各運転モードでの運転と並行して、走行系電気機器（具体的には、モータジェネレータ７０およびインバータ７１）の温度を調整する機器温調運転を行っている。機器温調運転は、走行系電気機器の温度を適切な温度範囲内に維持するための運転である。
【０１６２】
機器温調運転では、制御装置５０が、低温側熱媒体回路３０の機器用ポンプ３８ａを作動させる。さらに、制御装置５０は、走行系電気機器の温度が適切な温度範囲内に維持されるように、機器側三方弁３３ｂの作動を制御する。
【０１６３】
具体的には、走行系電気機器の温度が上昇した際には、制御装置５０は、低温側ラジエータ３２側へ流出させる熱媒体流量を増加させるように、機器側三方弁３３ｂの作動を制御する。これにより、機器用ポンプ３８ａから走行系電気機器へ圧送される低温側熱媒体のうち、低温側ラジエータ３２にて冷却された低温側熱媒体の割合を増加させて、走行系電気機器を冷却する。
【０１６４】
一方、走行系電気機器の温度が低下した際には、制御装置５０は、バイパス通路３８ｂ側へ流出させる熱媒体流量を増加させるように、機器側三方弁３３ｂの作動を制御する。これにより、機器用ポンプ３８ａから走行系電気機器へ圧送される低温側熱媒体のうち、走行系電気機器の自己発熱によって加熱された低温側熱媒体の割合を増加させて、走行系電気機器を加熱する。
【０１６５】
以上の如く、本実施形態の車両用熱管理システム１によれば、各運転モード等を切り替えることによって、車室内の快適な空調を実現することができる。さらに、本実施形態の車両用熱管理システム１によれば、バッテリ６０およびバッテリ６０に接続された電気機器の適切な温度調整を実現することができる。
【０１６６】
さらに、本実施形態の車両用熱管理システム１では、車両に搭載された電気機器が発生させた熱を、容易に、かつ、有効に利用することができる。
【０１６７】
より詳細には、本実施形態の車両用熱管理システム１では、走行系電気経路６１と非走行系電気経路６２が、バッテリ６０に対して並列に接続されている。換言すると、非走行系電気機器である統合変電ユニット７２が、バッテリ６０からモータジェネレータ７０へ至る電気経路外に接続されている。
【０１６８】
このため、非走行系電気機器である統合変電ユニット７２を熱生成モードで作動させても、走行系電気機器であるモータジェネレータ７０および準走行系電気機器であるインバータ７１の作動に影響を与えにくい。つまり、非走行系電気機器である統合変電ユニット７２は、発熱量を増加させるように作動させても、走行用の駆動力に影響を与えにくく、制御態様の複雑化を招きにくい。
【０１６９】
従って、非走行系電気機器である統合変電ユニット７２が発生させた熱を、加熱対象物の加熱源として用いることで、車両に搭載された電気機器が発生させた熱を、容易に、かつ、有効に加熱対象物の加熱源として利用することができる。
【０１７０】
そして、本実施形態の車両用熱管理システム１は、車室内の暖房あるいは除湿暖房のために高温側熱媒体を加熱する冷凍サイクル装置１０を備えている。さらに、統合変電ユニット７２が発生させた熱を高温側熱媒体の加熱源として用いている。つまり、統合変電ユニット７２が発生させた熱を、具体的に、車室内の暖房あるいは除湿暖房のために、容易に、かつ、有効に利用することができる。
【０１７１】
換言すると、本実施形態では、統合変電ユニット７２が発生させた熱を、冷凍サイクル装置１０の消費エネルギの低減のために有効に利用することができる。同様に、補助加熱装置として設けられた電気ヒータ２５の消費エネルギの低減のために有効に利用することができる。さらに、電気ヒータ２５の小型化を図るために有効に利用することができる。
【０１７２】
また、本実施形態の車両用熱管理システム１では、高温側熱媒体回路２０に、加熱用熱交換部としてのヒータコア２３および高温側吸熱用熱交換部としての統合変電ユニット７２の冷却水通路７２ａを接続している。そして、熱生成モードでは、冷却水通路７２ａを流通する高温側熱媒体の温度低下に伴って、統合変電ユニット７２の発熱量を増加させている。
【０１７３】
これによれば、高温側熱媒体に応じて、統合変電ユニット７２の発熱量を適切に変化させることができる。つまり、統合変電ユニット７２の電気回路の温度が基準耐熱温度を超えてしまうことを抑制しつつ、高温側熱媒体の温度を速やかに上昇させることができる。そして、統合変電ユニット７２が発生させた熱を即効暖房のために有効に利用することができる。
【０１７４】
（第２実施形態）
本実施形態の車両用熱管理システム１では、第１実施形態に対して、図８〜図１１の全体構成図に示すように、統合変電ユニット７２の冷却水通路７２ａの接続態様を変更した例を説明する。本実施形態の統合変電ユニット７２の冷却水通路７２ａは、低温側熱媒体回路３０に接続されている。
【０１７５】
より詳細には、本実施形態の統合変電ユニット７２の冷却水通路７２ａは、バッテリ６０の冷却水通路６０ａの出口側と低温側ポンプ３１の吸入口側とを接続するように配置されている。さらに、低温側ラジエータ３２の出口側と低温側ポンプ３１の吸入口側とを接続するように配置されている。
【０１７６】
このため、本実施形態の統合変電ユニット７２の冷却水通路７２ａは、低温側熱媒体と統合変電ユニット７２とを熱交換させて、統合変電ユニット７２の有する熱を低温側熱媒体に吸熱させる低温側吸熱用熱交換部となる。本実施形態の低温側合流部３６ｂは、統合変電ユニット７２の冷却水通路７２ａに設けられる。その他の車両用熱管理システム１の構成は、第１実施形態と同様である。
【０１７７】
次に上記構成における本実施形態の車両用熱管理システム１の作動について説明する。本実施形態の車両用熱管理システム１では、第１実施形態で説明した冷房冷却モード、暖房モード、除湿暖房モードに加えて、バッテリ暖機モードを切り替えることができる。以下に各運転モードについて説明する。なお、本実施形態においても、各運転モードでの運転と並行して、機器温調運転が行われている。
【０１７８】
（ａ）冷房冷却モード
冷房冷却モードでは、制御装置５０は、統合変電ユニット７２を通常作動させる。従って、車両走行時のように外部電源からバッテリ６０への充電を行っていないときには、制御装置５０は、統合変電ユニット７２に殆ど電力を供給しない。その他の作動は、第１実施形態と同様である。
【０１７９】
従って、冷房冷却モードの冷凍サイクル装置１０では、図８の太線で示すように、冷媒が流れる。そして、第１実施形態と同様に、チラー１５へ流入した低圧冷媒が蒸発することにより、低温側熱媒体が冷却される。また、室内蒸発器１６へ流入した低圧冷媒が蒸発することにより、送風空気Ｗが冷却される。
【０１８０】
また、冷房冷却モードの高温側熱媒体回路２０では、高温側ラジエータ２２にて、高温側熱媒体と外気とを熱交換させることにより、高温側熱媒体の有する熱が外気へ放熱される。
【０１８１】
また、冷房冷却モードの低温側熱媒体回路３０では、バッテリ６０の冷却水通路６０ａに低温側熱媒体を流通させて、低温側熱媒体とバッテリ６０とを熱交換させることにより、バッテリ６０が冷却される。
【０１８２】
また、冷房冷却モードの室内空調ユニット４０では、室内蒸発器１６にて冷却された送風空気Ｗが室内へ送風される。これにより、車室内の冷房が実現される。従って、冷房冷却モードでは、第１実施形態と全く同様に、車室内の冷房およびバッテリ６０の冷却が実現される。
【０１８３】
（ｂ）暖房モード
暖房モードでは、制御装置５０は、第１実施形態と同様に、各制御対象機器の作動を制御する。このため、制御装置５０は、統合変電ユニット７２を熱生成モードで作動させる。
【０１８４】
従って、暖房モードの冷凍サイクル装置１０では、図９の太線で示すように、冷媒が流れる。そして、第１実施形態と同様に、チラー１５にて低圧冷媒が低温側熱媒体から吸熱して蒸発することにより、低温側熱媒体が冷却される。
【０１８５】
また、暖房モードの高温側熱媒体回路２０では、ヒータコア２３にて、高温側熱媒体と送風空気Ｗとを熱交換させることにより、送風空気Ｗが加熱される。なお、本実施形態では、統合変電ユニット７２の冷却水通路７２ａが、低温側熱媒体回路３０に配置されている。このため、ヒータコア２３から流出した高温側熱媒体は、高温側合流部２６ｂの他方の流入口へ流入する。
【０１８６】
また、暖房モードの低温側熱媒体回路３０では、チラー１５にて冷却された低温側熱媒体が低温側ラジエータ３２へ流入する。低温側ラジエータ３２へ流入した低温側熱媒体は、高温側ラジエータ２２を通過した外気ＯＡから吸熱して温度上昇する。さらに、低温側ラジエータ３２から流出した低温側熱媒体は、統合変電ユニット７２の冷却水通路７２ａへ流入する。
【０１８７】
統合変電ユニット７２の冷却水通路７２ａへ流入した低温側熱媒体は、熱生成モードで作動している統合変電ユニット７２から吸熱して、さらに温度上昇する。統合変電ユニット７２の冷却水通路７２ａから流出した低温側熱媒体は、低温側ポンプ３１へ吸入されてチラー１５の熱媒体通路１５２へ圧送される。チラー１５の熱媒体通路１５２へ流入した低温側熱媒体は、冷媒通路１５１を流通する低圧冷媒に吸熱されて冷却される。
【０１８８】
また、暖房モードの室内空調ユニット４０では、ヒータコア２３にて加熱された送風空気Ｗが室内へ送風される。これにより、車室内の暖房が実現される。
【０１８９】
ここで、暖房モードのチラー１５では、統合変電ユニット７２にて加熱された低温側熱媒体の有する熱を、低圧冷媒に吸熱させている。そして、水−冷媒熱交換器１２では、低圧冷媒が吸熱した熱を高温側熱媒体へ放熱させている。さらに、ヒータコア２３では、高温側熱媒体の有する熱を送風空気Ｗへ放熱させて、送風空気Ｗを加熱している。
【０１９０】
つまり、暖房モードでは、統合変電ユニット７２の発生させた熱を、低温側熱媒体の加熱源として用いている。さらに、冷凍サイクル装置１０では、チラー１５にて冷媒が低温側熱媒体から吸熱した熱を、水−冷媒熱交換器１２にて高温側熱媒体へ放熱させている。そして、ヒータコア２３にて、高温側熱媒体を熱源として、送風空気Ｗを加熱している。
【０１９１】
従って、暖房モードでは、統合変電ユニット７２の発生させた熱を間接的に送風空気Ｗの加熱源として用いている。
【０１９２】
（ｃ）除湿暖房モード
除湿暖房モードでは、制御装置５０は、冷房モードと同様に、統合変電ユニット７２を通常作動させる。その他の作動は、第１実施形態と同様である。
【０１９３】
従って、除湿暖房モードの冷凍サイクル装置１０では、図１０の太線で示すように、冷媒が流れる。そして、第１実施形態と同様に、室内蒸発器１６へ流入した低圧冷媒が蒸発することにより、送風空気Ｗが冷却される。
【０１９４】
また、除湿暖房モードの高温側熱媒体回路２０では、ヒータコア２３にて、高温側熱媒体と室内蒸発器１６にて冷却された送風空気Ｗの少なくとも一部とを熱交換させることにより、送風空気Ｗの少なくとも一部が加熱される。ヒータコア２３から流出した高温側熱媒体は、暖房モードと同様に、高温側合流部２６ｂの他方の流入口へ流入する。
【０１９５】
また、除湿暖房モードの室内空調ユニット４０では、室内蒸発器１６にて冷却されて除湿された送風空気Ｗの少なくとも一部が、ヒータコア２３にて加熱される。そして、エアミックスドア４４の開度調整によって、目標吹出温度ＴＡＯに近づくように温度調整された送風空気Ｗが車室内へ送風される。これにより、車室内の除湿暖房が実現される。
【０１９６】
（ｄ）バッテリ暖機モード
バッテリ暖機モードは、バッテリ６０が低温となっている際に、バッテリ６０の暖機を行う運転モードである。
【０１９７】
バッテリ暖機モードでは、制御装置５０が、冷凍サイクル装置１０の圧縮機１１を停止させる。また、制御装置５０は、高温側熱媒体回路２０の高温側ポンプ２１を停止させる。
【０１９８】
また、制御装置５０は、低温側熱媒体回路３０の低温側ポンプ３１を作動させる。さらに、制御装置５０は、チラー１５の熱媒体通路１５２から流出した低温側熱媒体がバッテリ６０の冷却水通路６０ａへ流入するように、電池側三方弁３３ａの作動を制御する。また、制御装置５０は、統合変電ユニット７２を熱生成モードで作動させる。
【０１９９】
従って、バッテリ暖機モードの低温側熱媒体回路３０では、低温側ポンプ３１から圧送された低温側熱媒体が、チラー１５の熱媒体通路１５２へ流入する。バッテリ暖機モードでは、圧縮機１１が停止している。このため、チラー１５の熱媒体通路１５２へ流入した低温側熱媒体は、冷却されることなく熱媒体通路１５２から流出する。
【０２００】
チラー１５の熱媒体通路１５２から流出した低温側熱媒体は、電池側三方弁３３ａ介して、バッテリ６０の冷却水通路６０ａへ流入する。バッテリ６０の冷却水通路６０ａへ流入した低温側熱媒体は、バッテリ６０と熱交換して放熱する。これにより、バッテリ６０が暖機される。
【０２０１】
バッテリ６０の冷却水通路６０ａから流出した低温側熱媒体は、統合変電ユニット７２の冷却水通路７２ａへ流入する。統合変電ユニット７２の冷却水通路７２ａへ流入した高温側熱媒体は、熱生成モードで作動している統合変電ユニット７２が発生させた熱を吸熱する。これにより、低温側熱媒体が加熱される。
【０２０２】
統合変電ユニット７２の冷却水通路７２ａから流出した低温側熱媒体は、低温側ポンプ３１へ吸入されてチラー１５の熱媒体通路１５２へ圧送される。
【０２０３】
つまり、バッテリ暖機モードでは、統合変電ユニット７２が発生させた熱を低温側温度調整対象物であるバッテリ６０の加熱源として用いている。
【０２０４】
以上の如く、本実施形態の車両用熱管理システム１によれば、各運転モード等を切り替えることによって、車室内の快適な空調を実現することができる。さらに、本実施形態の車両用熱管理システム１によれば、バッテリ６０およびバッテリ６０に接続された電気機器の適切な温度調整を実現することができる。
【０２０５】
さらに、本実施形態の車両用熱管理システム１では、第１実施形態と同様に、車両に搭載された電気機器が発生させた熱を、容易に、かつ、有効に利用することができる。
【０２０６】
より詳細には、本実施形態の車両用熱管理システム１は、車室内の暖房のために高温側熱媒体を加熱する冷凍サイクル装置１０を備えている。さらに、冷凍サイクル装置１０では、統合変電ユニット７２が発生させた熱によって加熱された低温側熱媒体を、暖房時の冷凍サイクル装置１０の吸熱源としている。つまり、統合変電ユニット７２が発生させた熱を、車室内の暖房のために、容易に、かつ、有効に利用することができる。
【０２０７】
換言すると、本実施形態では、統合変電ユニット７２が発生させた熱を、冷凍サイクル装置１０の消費エネルギの低減のために有効に利用することができる。同様に、補助加熱装置として設けられた電気ヒータ２５の消費エネルギの低減のために有効に利用することができる。さらに、電気ヒータ２５の小型化を図るために有効に利用することができる。
【０２０８】
また、本実施形態の車両用熱管理システム１では、低温側熱媒体回路３０に、低温側吸熱用熱交換部としての統合変電ユニット７２の冷却水通路７２ａを接続している。そして、熱生成モードでは、冷却水通路７２ａを流通する低温側熱媒体の温度低下に伴って、統合変電ユニット７２の発熱量を増加させている。
【０２０９】
これによれば、低温側熱媒体に応じて、統合変電ユニット７２の発熱量を適切に変化させることができる。つまり、統合変電ユニット７２の電気回路の温度が基準耐熱温度を超えてしまうことを抑制しつつ、低温側熱媒体の温度を速やかに上昇させることができる。
【０２１０】
さらに、低温側熱媒体回路３０に、温度調整用熱交換部としてのバッテリ６０の冷却水通路６０ａを接続している。これによれば、冷房冷却モード時にバッテリ６０の冷却ができるだけでなく、バッテリ暖機モード時にバッテリ６０の暖機を行うこともできる。そして、統合変電ユニット７２が発生させた熱を即効暖機のために有効に利用することができる。
【０２１１】
（他の実施形態）
本発明は上述の実施形態に限定されることなく、本発明の趣旨を逸脱しない範囲内で、以下のように種々変形可能である。
【０２１２】
（１）上述の第１実施形態では、高温側熱媒体を直接的な加熱対象物とした例を説明した。また、第２実施形態では、低温側熱媒体を直接的な加熱対象物とした例を説明した。さらに、送風空気Ｗを間接的な加熱対象物とした例を説明した。これに対して、加熱対象物は、上述の実施形態に開示されたものに限定されない。加熱対象物は、他の電気機器であってもよいし、着霜の生じた熱交換器であってもよい。
【０２１３】
例えば、第２実施形態では、暖房モード時に低温側ラジエータ３２に着霜が生じる可能性がある。そこで、低温側ラジエータ３２に着霜が生じた際には、非走行系電気機器が発生させた熱を低温側ラジエータ３２の加熱源として用い、低温側ラジエータ３２の除霜を行ってもよい。
【０２１４】
具体的には、低温側ラジエータ３２の除霜を行う除霜モードでは、制御装置５０が、冷凍サイクル装置１０の圧縮機１１を停止させる。また、制御装置５０は、高温側熱媒体回路２０の高温側ポンプ２１を停止させる。
【０２１５】
また、制御装置５０は、低温側熱媒体回路３０の低温側ポンプ３１を作動させる。さらに、制御装置５０は、チラー１５の熱媒体通路１５２から流出した低温側熱媒体が低温側ラジエータ３２へ流入するように、電池側三方弁３３ａの作動を制御する。そして、制御装置５０は、統合変電ユニット７２を熱生成モードで作動させればよい。
【０２１６】
（２）上述の実施形態では、非走行系電気機器として、統合変電ユニット７２の発生させた熱を加熱源として用いる例を説明した。これに対して、非走行系電気機器は、統合変電ユニット７２に限定されない。
【０２１７】
例えば、非走行系電気機器は、圧縮機１１のように、車室内の空調を行うために用いられる空調用電気機器であってもよい。また、先進運転支援システムの制御装置７３のように、車両の走行のために取得した情報の処理を行うために用いられる情報処理用電気機器であってもよい。
【０２１８】
（３）上述の第１実施形態では、非走行系電気機器である統合変電ユニット７２の冷却水通路７２ａを高温側熱媒体回路２０に配置とした例を説明した。また、第２実施形態では、統合変電ユニット７２の冷却水通路７２ａを低温側熱媒体回路３０に配置とした例を説明した。これに対して、非走行系電気機器の配置は、上述の実施形態に開示されたものに限定されない。
【０２１９】
非走行系電気機器の有する熱を有効に利用することが可能性あれば、いずれに配置されていてもよい。例えば、第１実施形態では、高温側合流部２６ｂの流出口から高温側ポンプ２１の吸入口へ至る熱媒体通路に統合変電ユニット７２の冷却水通路７２ａを配置してもよい。例えば、第２実施形態では、低温側合流部３６ｂの流出口から低温側ポンプ３１の吸入口へ至る熱媒体通路に統合変電ユニット７２の冷却水通路７２ａを配置してもよい。
【０２２０】
（４）上述の実施形態では、走行系電気経路６１と非走行系電気経路６２とをバッテリ６０に対して並列に接続するために、図３に示すように、複数の電気機器をバッテリ６０に直接接続した例を説明したが、これに限定されない。例えば、複数の電気機器を、中継回路（いわゆる、コンジャンクションボックス）７５を介して、バッテリ６０に接続してもよい。
【０２２１】
中継回路７５は、バッテリ６０から供給された電力を、出力側に接続された複数の電気機器に分配することができる。
【０２２２】
具体的には、図１２に示すように、バッテリ６０に接続された中継回路７５の出力側に、インバータ７１と統合変電ユニット７２とを接続する。さらに、図３と同様に、インバータ７１に、モータジェネレータ７０を接続する。これによれば、図１２に示すように、中継回路７５よりも下流側に、走行系電気経路６１および非走行系電気経路６２が形成することができる。
【０２２３】
また、図１３に示すように、中継回路７５を一部の電気機器と一体化し、一体化された中継回路７５に別の電気機器を接続してもよい。図１３では、統合変電ユニット７２に、中継回路７５を一体化させている。これによれば、図１３に示すように、中継回路７５よりも下流側に、走行系電気経路６１および非走行系電気経路６２を形成することができる。
【０２２４】
図１２、図１３に示す走行系電気経路６１および非走行系電気経路６２であっても、バッテリ６０に対して並列に接続された電気経路に含まれる。
【０２２５】
（５）車両用熱管理システム１が備える冷凍サイクル装置１０、高温側熱媒体回路２０、低温側熱媒体回路３０は、上述の実施形態に開示されたものに限定されない。
【０２２６】
例えば、冷凍サイクル装置１０の冷媒として、Ｒ１３４ａ、Ｒ６００ａ、Ｒ４１０Ａ、Ｒ４０４Ａ、Ｒ３２、Ｒ４０７Ｃ等を採用してもよい。または、これらのうち複数の冷媒を混合させた混合冷媒等を採用してもよい。
【０２２７】
例えば、高温側熱媒体回路２０および低温側熱媒体回路３０の熱媒体として、ジメチルポリシロキサン、あるいはナノ流体等を含む溶液、不凍液、アルコール等を含む水系の液冷媒、オイル等を含む液媒体等を採用してもよい。
【０２２８】
例えば、補助加熱装置である電気ヒータ２５として、ＰＴＣヒータを採用した例を説明したが、これに限定されない。電力を供給されることによって発熱する加熱装置であれば、ニクロム線等を採用してもよい。
【０２２９】
さらに、非走行系電気機器が発生させた熱を加熱対象物の加熱源として用いることができれば、冷凍サイクル装置１０、高温側熱媒体回路２０、低温側熱媒体回路３０は、本発明の車両用熱管理システム１の必須の構成ではない。
【符号の説明】
【０２３０】
１０    冷凍サイクル装置
１１    圧縮機（空調用電気機器）
６０    バッテリ
６１    走行系電気経路
６２    非走行系電気経路
７０    モータジェネレータ（走行系電気機器）
７１    インバータ（非走行系電気機器）
７２    統合変電ユニット（充電用電気機器）
７３    先進運転支援システムの制御装置（情報処理用電気機器）
【図１】
2020199871.tif 000003
【図２】
2020199871.tif 000004
【図３】
2020199871.tif 000005
【図４】
2020199871.tif 000006
【図５】
2020199871.tif 000007
【図６】
2020199871.tif 000008
【図７】
2020199871.tif 000009
【図８】
2020199871.tif 000010
【図９】
2020199871.tif 000011
【図１０】
2020199871.tif 000012
【図１１】
2020199871.tif 000013
【図１２】
2020199871.tif 000014
【図１３】
2020199871.tif 000015